(57)【要約】      （修正有）【課題】ヘッドの内部空間にラバーゴムを取り着け、狭まれたそのボールを人差し指を引くだけでボールが押し出される様にした、片手、片腕、人差し指だけでボールの着・脱を可能にした便利なパタークラブを提供する。【解決手段】パターのヘッドＣにボールＤが入る為の空間Ｔを設け、ボールＤが狭まれたかどうかを上から一目で確認出来るようにする。その内側にボールＤを摘み取る為のラバーゴムＯを人の指で狭むような角度で装着し、ボールＤに対してヘッドＣを上から軽くかぶせるだけでボールＤを摘み取れるようにする。またそのボールＤを外す時、ヘッドＣ内部から出ているボール押し出し棒ＧがパターのシャフトＢ内を通っているワイヤーＦを通じて動き、丁度、グリップＡの人差し指の位置にあるノブＥを引くだけでボールＤが外れ出るようにする。【選択図】図１
2008080084.tif 000002
【特許請求の範囲】
【請求項１】
図面の（図１）、（図２）を見れば分かるように本発明に於てはこのような仕組み、構造、機能、形態、デザイン、これら全てが一本のパタークラブの中に組み込んだ点を（請求項１）として請求するものである。
【請求項２】
図面（図９）着・脱図に見られる様に、これはボール▲Ｄ▼をラバーゴム▲Ｏ▼が狭んだ状態とそれをボール押し出し棒▲Ｇ▼がカム▲Ｈ▼によって押し下げられ、ボール▲Ｄ▼を外し出す様子を示したものである。このことは手で摘み取る様に配置されたラバーゴム▲Ｏ▼が、パターのヘッド▲Ｃ▼内にボール▲Ｄ▼を狭める角度で装着された為に押し出し棒▲Ｇ▼が軽く突くだけでボール▲Ｄ▼は外れ出る様にした仕組みによるものでこれらの機能や構造、仕組みに関わる全てを（請求項２）として請求するものである。
【請求項３】
図面（図１）外観図、透視図、及び図面（図９）着・脱図で分かるように、片手の人差し指一本で音もなく外し出せるように、ボール▲Ｄ▼の接触面にラバーゴム▲Ｏ▼を使用した事や、グリップ▲Ａ▼の丁度、人差し指のかかるあたりにワイヤー引きノブ▲Ｅ▼を設けそれを軽く引くだけで押し出し棒▲Ｇ▼が押し下げられるようにした仕組みや機能に関わる全てを（請求項３）として請求するものである。
【請求項４】
図面（図１）外観図で分かるようにパターのヘッド▲Ｃ▼上部にメンテナンスホール▲Ｋ▼を設け随時、点検や調整を可能な構造にしたこと、ボール▲Ｄ▼が挟まったかどうかを上から一目で確認出来る形・デザインであること。
ヘッド▲Ｃ▼全体が小さく、ホールカップに入ったボール▲Ｄ▼を取り出す事も出来るなど、機能を合わせ持つ事が出来る仕組みであることなど、これらの仕組みと機能に関わる全てを（請求項４）として請求するものである。
【請求項５】
図面（図２）使用例図（ロ）で分かるように、なによりもパターの使用に際して新しい使用方法が見い出されたことを（請求項５）として請求したい。
【発明の詳細な説明】
【技術分野】
【０００１】本発明はパターヘッドにボールが入る為の空間を設け、その内側にボールを摘み取る為のラバーゴムを装着しボールに対して上から軽くかぶせるだけでボールを摘み取れるようにし、また人差し指だけの操作でボールが押し出されるようにした、片手・片腕だけの操作でボールの着．脱を可能にしようとしたパタークラブである。
【背景技術】
【０００２】従来はパターヘッドでボールを摘み取ってもそれを押し出すような機能を持つパターはなかった。またヘッド全体が小さく、ホールカップにも入る為、ボールを取り上げる事が出来る。このような機能を合わせ持ったパターは従来にはなかった。
【発明の開示】
【発明が解決しようとする課題】
【０００３】パッティンググリーン上での練習時など、ボールを拾い上げる際には、何度も体を折り曲げなければならず、肥満体や腰痛持ちにはつらいものがあった。更に別の場所から打とうとする際もボールをグリーン上で転がすか手で拾い上げて移動するのがおおむねであり、従来のパターでは拾い上げる際も外す際も両手を使わざるを得なかった。
片手・片腕だけで操作が出来、人差し指一本で外し出すようなことは出来なかったのである。
本発明はその課題を解決する為になされたものである。
【課題を解決するための手段】
【０００４】パターヘッド▲Ｃ▼にボール▲Ｄ▼が入る為の空間▲Ｔ▼を設け、ボール▲Ｄ▼が狭まれたかどうかを上から一目で確認出来るようにし、その内側にボール▲Ｄ▼を摘み取る為のラバーゴム▲Ｏ▼を人の指で狭むような角度で装着し、ボール▲Ｄ▼に対してヘッド▲Ｃ▼を上から軽くかぶせるだけでボール▲Ｄ▼を摘み取れるようにし、またそのボール▲Ｄ▼を外す時、ヘッド▲Ｃ▼内部から出ているボール押し出棒▲Ｇ▼がパターのシャフト▲Ｂ▼内を通っているワイヤー▲Ｆ▼を通じて動き、丁度、グリップ▲Ａ▼の人差し指の位置にあるノブ▲Ｅ▼を引くだけでボール▲Ｄ▼が外れ出るようにしたものである。
【発明の効果】
【０００５】ボールを手で拾い上げ、手で外すと言う動作を省くことが出来る。またラバーゴムで挟んでいる為ボールに傷などは着かず、着・脱時の接触音もない事はプレーに於ても安心である。更にボールが挟まれたかどうかを上から一目で確認出来る事も安心である。またパターとしてのフェース面の狭いことが逆にスイートスポットを中心寄りに置く結果となり、ボールをフェースの中心でヒットする事の重要さを身につけることが出来る事もメリットになり得る。ヘッド全体が小さくホールカップにも入る為、ボールを取り上げる事も出来る。この様な機能を合わせ持つ事が出来るのも、ヘッド全体が機能的にコンパクトに収められている為であり、便利である。
なによりも、ゴルファーの遊び心をくすぐる領域を拡大する事にも繋げられる。
【発明を実施するための最良の形態】
【０００６】以下、本発明の実施の形態について説明する
（イ）パターヘッド▲Ｃ▼にボール▲Ｄ▼が入る為の空間▲Ｔ▼を設けボール▲Ｄ▼が狭まれたかどうかを上から一目で確認出来るようにする。
（ロ）その空間▲Ｔ▼の内側にボール▲Ｄ▼を摘み取る為のラバーゴム▲Ｏ▼を人の指で狭むような角度で装着し、ボール▲Ｄ▼に対してヘッド▲Ｃ▼を上から軽くかぶせるだけでボール▲Ｄ▼を摘み取れるようにする。
（ハ）またそのボール▲Ｄ▼を外す時、ヘッド▲Ｃ▼内部から出ているボール押し出し棒▲Ｇ▼がパターのシャフト▲Ｂ▼内を通っているワイヤー▲Ｆ▼を通じて動き丁度、グリップ▲Ａ▼の人差し指の位置にあるノブ▲Ｅ▼を引くだけでボール▲Ｄ▼が外れ出るようにした。
【実施例１】
【０００７】（図２）使用例図（イ）・（ロ）参照
【図面の簡単な説明】
【０００８】
【図１】本発明の外観図である
【図２】本発明の使用例図である
【図３】本発明の平面図である
【図４】本発明の底面図である
【図５】本発明の正面図である。
【図６】本発明の裏面図である
【図７】本発明の前面図である
【図８】本発明の後面図である
【図９】本発明の着・脱図である
【符号の説明】
【０００９】▲Ａ▼グリップ
▲Ｂ▼シャフト
▲Ｃ▼パターヘッド
▲Ｄ▼ボール
▲Ｅ▼ワイヤー引きノブ
▲Ｆ▼引きワイヤー
▲Ｇ▼ボール押し出し棒
▲Ｈ▼押し出し棒カム
▲Ｉ▼押し出し棒カムシャフト
▲Ｊ▼押し出し棒カムシャフト室
▲Ｋ▼メンテナンスホール
▲Ｌ▼ホールキャップ
▲Ｍ▼引き戻しコイル
▲Ｎ▼押し出し棒ホール
▲Ｏ▼キャッチングラバーゴム×５
▲Ｐ▼ラバーゴム止めボルト×５
▲Ｑ▼パターフェイス
▲Ｒ▼ワイヤー止めボルト
▲Ｓ▼ボルトナット×５
▲Ｔ▼空間
【図１】
2008080084.tif 000003
【図２】
2008080084.tif 000004
【図３】
2008080084.tif 000005
【図４】
2008080084.tif 000006
【図５】
2008080084.tif 000007
【図６】
2008080084.tif 000008
【図７】
2008080084.tif 000009
【図８】
2008080084.tif 000010
【図９】
2008080084.tif 000011